(57)【要約】      （修正有）【課題】特別な防犯用装置の設置工事や購入を行う必要なく、ホームセキュリティシステムの構築を可能とするオーディオシステムを提供する。【解決手段】オーディオプレーヤ６とリモートコントローラとを備えるオーディオシステムにおいて、リモートコントローラは、記憶部と、表示部と、選択された選択キーに対応した指令信号を出力する操作部と、指令信号を他の装置へ送信するネットワークインターフェース部と、制御部とを備える。オーディオプレーヤは、指令信号を受信するネットワークインターフェース部１７と、オーディオ再生部１４と、スピーカ部１５と、集音部１２と、制御部１６とを備える。オーディオプレーヤの制御部は、集音部が集音した音波が異音であるか否かの判定を行い、オーディオプレーヤが当該判定の結果に応じて予め設定された動作を行うように制御する。【選択図】図３
2018120319.tif 000002
【特許請求の範囲】
【請求項１】
オーディオ信号を出力するオーディオプレーヤと有線又は無線によるネットワークを介して前記オーディオプレーヤの動作を制御するリモートコントローラとを備えるオーディオシステムにおいて、
前記リモートコントローラは、
予めアプリケーションソフトウェアを記憶する記憶部と、
前記記憶部に記憶されたアプリケーションソフトウェアが起動された場合に起動されたアプリケーションソフトウェアに応じた情報表示や各種の選択キーの表示を行う表示部と、
前記選択キーが選択されると前記選択キーが選択されたことを検知し、選択された前記選択キーに対応した指令信号をネットワークインターフェース部に出力する操作部と、
前記操作部により出力された前記指令信号を入力し、入力された前記指令信号を、有線又は無線によるネットワークを介して、オーディオプレーヤに送信するネットワークインターフェース部と、
前記リモートコントローラ全体の動作を制御する制御部とを備え、
前記オーディオプレーヤは、
前記リモートコントローラが送信した前記指令信号を受信するネットワークインターフェース部と、
オーディオデータをデコードして再生し、再生して得られた音声信号を出力するオーディオ再生部と、
前記オーディオ再生部が出力した音声信号の入力を受け、入力を受けた音声信号を物理振動に変換して前記オーディオプレーヤの外部へ放音するスピーカ部と、
前記オーディオプレーヤの周囲の音波を集音する集音部と、
前記オーディオプレーヤ全体の動作を制御する制御部とを備え、
前記オーディオプレーヤの前記制御部は、前記集音部が集音した音波が異音であるか否かの判定を行い、前記オーディオプレーヤが当該判定の結果に応じて予め設定された動作を行うように制御する
ことを特徴とするオーディオシステム。
【請求項２】
請求項１記載のオーディオシステムにおいて、
前記オーディオプレーヤの前記制御部は、前記集音部が集音した音波が異音であると判定した場合、前記オーディオ再生部が前記記憶部に予め記憶された警告音データを再生し再生された警告音信号を前記スピーカ部に出力し、前記スピーカ部が前記オーディオ再生部から出力された警告音信号の入力を受け入力を受けた警告音信号を物理振動に変換し前記オーディオプレーヤの外部へ放音するように制御する
ことを特徴とするオーディオシステム。
【請求項３】
請求項１又は２記載のオーディオシステムにおいて、
前記オーディオプレーヤの前記制御部は、前記集音部が集音した音波が異音であると判定した場合、有線又は無線によるネットワークを介して、前記リモートコントローラに対して、異音検知情報を送信するように制御する
ことを特徴とするオーディオシステム。
【請求項４】
オーディオ信号を出力するオーディオプレーヤにおいて、
他の装置が送信した指令信号を受信するネットワークインターフェース部と、
オーディオデータをデコードして再生し、再生して得られた音声信号を出力するオーディオ再生部と、
前記オーディオ再生部が出力した音声信号の入力を受け、入力を受けた音声信号を物理振動に変換して前記オーディオプレーヤの外部へ放音するスピーカ部と、
前記オーディオプレーヤの周囲の音波を集音する集音部と、
前記オーディオプレーヤ全体の動作を制御する制御部とを備え、
前記制御部は、前記集音部が集音した音波が異音であるか否かの判定を行い、当該判定の結果に応じて予め設定された動作を行うように制御する
ことを特徴とするオーディオプレーヤ。
【請求項５】
請求項４記載のオーディオプレーヤにおいて、
前記制御部は、前記ネットワークインターフェース部による指令信号の受信が遮断されたか否かを検出し、当該検出の結果に応じて予め設定された動作を行うように制御する
ことを特徴とするオーディオプレーヤ。
【請求項６】
請求項４又は５記載のオーディオプレーヤにおいて、
前記オーディオプレーヤの動作に必要となる電源の供給を受ける電源部を備え、
前記制御部は、前記電源部への電源供給が遮断されたか否かを検出し、当該検出の結果に応じて予め設定された動作を行うように制御する
ことを特徴とするオーディオプレーヤ。
【請求項７】
請求項４乃至６記載のオーディオプレーヤにおいて、
前記予め設定された動作とは、前記オーディオ再生部が前記記憶部に予め記憶された警告音データを再生し再生された警告音信号を前記スピーカ部に出力し、前記スピーカ部が前記オーディオ再生部から出力された警告音信号の入力を受け入力を受けた警告音信号を物理振動に変換し前記ワイヤレスオーディオプレーヤの外部へ放音する
ことを特徴とするオーディオプレーヤ。
【請求項８】
請求項４乃至６記載のオーディオプレーヤにおいて、
前記予め設定された動作とは、有線又は無線によるネットワークを介して、前記リモートコントローラに対して、異音検知情報を送信する
ことを特徴とするオーディオプレーヤ。
【請求項９】
オーディオ信号を出力する他の装置の動作を有線又は無線によるネットワークを介して制御するリモートコントローラにおいて、
予めアプリケーションソフトウェアを記憶する記憶部と、
前記記憶部に記憶されたアプリケーションソフトウェアが起動された場合に起動されたアプリケーションソフトウェアに応じた情報表示や各種の選択キーの表示を行う表示部と、
前記選択キーが選択されると前記選択キーが選択されたことを検知し、選択された前記選択キーに対応した指令信号をネットワークインターフェース部に出力する操作部と、
前記操作部により出力された前記指令信号を入力し、入力された前記指令信号を、有線又は無線によるネットワークを介して、前記オーディオ信号を出力する他の装置に送信するネットワークインターフェース部と、
前記リモートコントローラ全体の動作を制御する制御部とを備え、
前記制御部は、他の装置が集音した音波が異音であるか否かの判定を行い、他の装置が当該判定の結果に応じて予め設定された動作を行うように指令信号を送信するよう前記ネットワークインターフェース部を制御する
ことを特徴とするリモートコントローラ。
【請求項１０】
コンピュータで読み取り可能なプログラムであって、
前記プログラムは、前記コンピュータを、
オーディオ信号を出力するオーディオプレーヤとして機能させ、
前記オーディオプレーヤは、
他の装置が送信した指令信号を受信するネットワークインターフェース部と、
オーディオデータをデコードして再生し、再生して得られた音声信号を出力するオーディオ再生部と、
前記オーディオ再生部が出力した音声信号の入力を受け、入力を受けた音声信号を物理振動に変換して前記オーディオプレーヤの外部へ放音するスピーカ部と、
前記オーディオプレーヤの周囲の音波を集音する集音部と、
前記オーディオプレーヤ全体の動作を制御する制御部とを備え、
前記制御部は、前記集音部が集音した音波が異音であるか否かの判定を行い、当該判定の結果に応じて予め設定された動作を行うように制御する
ことを特徴とするコンピュータで読み取り可能なプログラム。
【請求項１１】
請求項１０記載のコンピュータで読み取り可能なプログラムにおいて、
前記制御部は、前記ネットワークインターフェース部による指令信号の受信が遮断されたか否かを検出し、当該検出の結果に応じて予め設定された動作を行うように制御する
ことを特徴とするコンピュータで読み取り可能なプログラム。
【請求項１２】
請求項１０又は１１記載のコンピュータで読み取り可能なプログラムにおいて、
前記オーディオプレーヤは、
前記オーディオプレーヤの動作に必要となる電源の供給を受ける電源部を備え、
前記制御部は、前記電源部への電源供給が遮断されたか否かを検出し、当該検出の結果に応じて予め設定された動作を行うように制御する
ことを特徴とするコンピュータで読み取り可能なプログラム。
【請求項１３】
請求項１０乃至１２記載のコンピュータで読み取り可能なプログラムにおいて、
前記予め設定された動作とは、前記オーディオ再生部が前記記憶部に予め記憶された警告音データを再生し再生された警告音信号を前記スピーカ部に出力し、前記スピーカ部が前記オーディオ再生部から出力された警告音信号の入力を受け入力を受けた警告音信号を物理振動に変換し前記ワイヤレスオーディオプレーヤの外部へ放音する
ことを特徴とするコンピュータで読み取り可能なプログラム。
【請求項１４】
請求項１０乃至１２記載のコンピュータで読み取り可能なプログラムにおいて、
前記予め設定された動作とは、有線又は無線によるネットワークを介して、前記リモートコントローラに対して、異音検知情報を送信する
ことを特徴とするコンピュータで読み取り可能なプログラム。
【請求項１５】
コンピュータで読み取り可能なプログラムであって、
前記プログラムは、前記コンピュータを、
オーディオ信号を出力する他の装置の動作を有線又は無線によるネットワークを介して制御するリモートコントローラとして機能させ、
前記リモートコントローラは、
予めアプリケーションソフトウェアを記憶する記憶部と、
前記記憶部に記憶されたアプリケーションソフトウェアが起動された場合に起動されたアプリケーションソフトウェアに応じた情報表示や各種の選択キーの表示を行う表示部と、
前記選択キーが選択されると前記選択キーが選択されたことを検知し、選択された前記選択キーに対応した指令信号をネットワークインターフェース部に出力する操作部と、
前記操作部により出力された前記指令信号を入力し、入力された前記指令信号を、有線又は無線によるネットワークを介して、前記オーディオ信号を出力する他の装置に送信するネットワークインターフェース部と、
前記リモートコントローラ全体の動作を制御する制御部とを備え、
前記制御部は、他の装置が集音した音波が異音であるか否かの判定を行い、他の装置が当該判定の結果に応じて予め設定された動作を行うように指令信号を送信するよう前記ネットワークインターフェース部を制御する
ことを特徴とするコンピュータで読み取り可能なプログラム。
【発明の詳細な説明】
【技術分野】
【０００１】
本発明は、オーディオプレーヤを備えたオーディオシステムに関する。
【背景技術】
【０００２】
近年、メディアサーバに記録されているオーディオデータを、無線ＬＡＮ等で接続された複数のワイヤレスオーディオプレーヤから出力するワイヤレスオーディオシステムが知られている（例えば、特許文献１参照）。このような従来のワイヤレスオーディオシステムは、メディアサーバに記録された複数種類のソースからのオーディオデータを同時に受信し、家屋内に設置されネットワーク接続されている他の複数のワイヤレスオーディオプレーヤにそれぞれ異なるソースからのオーディオデータを送信したり、また、他の複数のワイヤレスオーディオプレーヤに同じソースからのオーディオデータを送信することが可能となっている。
【０００３】
一方、現在、家屋の住人が外出している留守中に、当該家屋に不正に侵入して窃盗を行う空き巣が横行している。このような空き巣による被害を防止するための対策として、例えば、留守宅への空き巣の侵入時に、玄関錠の異常作動を検知して部屋の中に設置された複数の警報装置が警告音を発することにより、侵入者を威嚇して退散させることで被害を未然に防ぐホームセキュリティシステムが知られている（例えば、特許文献２参照）。防犯の観点から、このようなセキュリティシステムのニーズは非常に高い。
【先行技術文献】
【特許文献】
【０００４】
【特許文献１】米国特許第７９８７２９４号公報
【特許文献２】特開２００２−１９００７０号公報
【発明の概要】
【発明が解決しようとする課題】
【０００５】
前述したような、空き巣対策としての従来のホームセキュリティシステムを家屋に設置する場合、例えば玄関錠の改造等が必要となり、特に、賃貸住宅では、一般に家屋の改造工事が自由にできないため、セキュリティシステムの設置に制約が課される。また、警報装置等を家屋に設置するためには、新たに警報装置を購入する必要があり、これらの設備費用が嵩むという問題もある。
本発明は、特別な防犯用装置を購入し設置工事を行う必要なく、ホームセキュリティシステムの構築を可能とするオーディオシステムを提供することを目的とする。
【課題を解決するための手段】
【０００６】
本発明は、オーディオ信号を出力するオーディオプレーヤと有線又は無線によるネットワークを介して前記オーディオプレーヤの動作を制御するリモートコントローラとを備えるオーディオシステムにおいて、前記リモートコントローラは、予めアプリケーションソフトウェアを記憶する記憶部と、前記記憶部に記憶されたアプリケーションソフトウェアが起動された場合に起動されたアプリケーションソフトウェアに応じた情報表示や各種の選択キーの表示を行う表示部と、前記選択キーが選択されると前記選択キーが選択されたことを検知し、選択された前記選択キーに対応した指令信号をネットワークインターフェース部に出力する操作部と、前記操作部により出力された前記指令信号を入力し、入力された前記指令信号を、有線又は無線によるネットワークを介して、オーディオプレーヤに送信するネットワークインターフェース部と、前記リモートコントローラ全体の動作を制御する制御部とを備え、前記オーディオプレーヤは、前記リモートコントローラが送信した前記指令信号を受信するネットワークインターフェース部と、オーディオデータをデコードして再生し、再生して得られた音声信号を出力するオーディオ再生部と、前記オーディオ再生部が出力した音声信号の入力を受け、入力を受けた音声信号を物理振動に変換して前記オーディオプレーヤの外部へ放音するスピーカ部と、前記オーディオプレーヤの周囲の音波を集音する集音部と、前記オーディオプレーヤ全体の動作を制御する制御部とを備え、前記オーディオプレーヤの前記制御部は、前記集音部が集音した音波が異音であるか否かの判定を行い、前記オーディオプレーヤが当該判定の結果に応じて予め設定された動作を行うように制御することを特徴とする。
【０００７】
また、本発明は、オーディオ信号を出力するオーディオプレーヤにおいて、他の装置が送信した指令信号を受信するネットワークインターフェース部と、オーディオデータをデコードして再生し、再生して得られた音声信号を出力するオーディオ再生部と、前記オーディオ再生部が出力した音声信号の入力を受け、入力を受けた音声信号を物理振動に変換して前記オーディオプレーヤの外部へ放音するスピーカ部と、前記オーディオプレーヤの周囲の音波を集音する集音部と、前記オーディオプレーヤ全体の動作を制御する制御部とを備え、前記制御部は、前記集音部が集音した音波が異音であるか否かの判定を行い、当該判定の結果に応じて予め設定された動作を行うように制御することを特徴とする。
【０００８】
また、本発明は、オーディオ信号を出力する他の装置の動作を有線又は無線によるネットワークを介して制御するリモートコントローラにおいて、予めアプリケーションソフトウェアを記憶する記憶部と、前記記憶部に記憶されたアプリケーションソフトウェアが起動された場合に起動されたアプリケーションソフトウェアに応じた情報表示や各種の選択キーの表示を行う表示部と、前記選択キーが選択されると前記選択キーが選択されたことを検知し、選択された前記選択キーに対応した指令信号をネットワークインターフェース部に出力する操作部と、前記操作部により出力された前記指令信号を入力し、入力された前記指令信号を、有線又は無線によるネットワークを介して、前記オーディオ信号を出力する他の装置に送信するネットワークインターフェース部と、前記リモートコントローラ全体の動作を制御する制御部とを備え、前記制御部は、他の装置が集音した音波が異音であるか否かの判定を行い、他の装置が当該判定の結果に応じて予め設定された動作を行うように指令信号を送信するよう前記ネットワークインターフェース部を制御することを特徴とする。
【０００９】
また、本発明は、コンピュータで読み取り可能なプログラムであって、前記プログラムは、前記コンピュータを、オーディオ信号を出力するオーディオプレーヤとして機能させ、前記オーディオプレーヤは、他の装置が送信した指令信号を受信するネットワークインターフェース部と、オーディオデータをデコードして再生し、再生して得られた音声信号を出力するオーディオ再生部と、前記オーディオ再生部が出力した音声信号の入力を受け、入力を受けた音声信号を物理振動に変換して前記オーディオプレーヤの外部へ放音するスピーカ部と、前記オーディオプレーヤの周囲の音波を集音する集音部と、前記オーディオプレーヤ全体の動作を制御する制御部とを備え、前記制御部は、前記集音部が集音した音波が異音であるか否かの判定を行い、当該判定の結果に応じて予め設定された動作を行うように制御することを特徴とする。
【００１０】
また、本発明は、コンピュータで読み取り可能なプログラムであって、  前記プログラムは、前記コンピュータを、オーディオ信号を出力する他の装置の動作を有線又は無線によるネットワークを介して制御するリモートコントローラとして機能させ、前記リモートコントローラは、予めアプリケーションソフトウェアを記憶する記憶部と、前記記憶部に記憶されたアプリケーションソフトウェアが起動された場合に起動されたアプリケーションソフトウェアに応じた情報表示や各種の選択キーの表示を行う表示部と、前記選択キーが選択されると前記選択キーが選択されたことを検知し、選択された前記選択キーに対応した指令信号をネットワークインターフェース部に出力する操作部と、前記操作部により出力された前記指令信号を入力し、入力された前記指令信号を、有線又は無線によるネットワークを介して、前記オーディオ信号を出力する他の装置に送信するネットワークインターフェース部と、前記リモートコントローラ全体の動作を制御する制御部とを備え、前記制御部は、他の装置が集音した音波が異音であるか否かの判定を行い、他の装置が当該判定の結果に応じて予め設定された動作を行うように指令信号を送信するよう前記ネットワークインターフェース部を制御することを特徴とする。
【発明の効果】
【００１１】
本発明によれば、特別な防犯用装置を購入し設置工事を行う必要なく、ホームセキュリティシステムの構築を可能とするオーディオシステムを提供することができる。
【図面の簡単な説明】
【００１２】
【図１】本発明の一実施例に係るワイヤレスオーディオシステムの概略構成図である。
【図２】ワイヤレスオーディオシステム１を構成するリモートコントローラ３の概略構成図である。
【図３】ワイヤレスオーディオシステム１を構成するワイヤレスオーディオプレーヤ６の概略構成図である。
【図４】ワイヤレスオーディオシステム１の防犯機能の動作フローに関する図である。
【図５】リモートコントローラ３上の防犯機能設定画面に関する図である。
【発明を実施するための形態】
【００１３】
本発明の実施の形態について、図面を参照して説明する。以下、本発明の実施されるオーディオシステムを構成する各装置は、相互に無線接続により通信するものとして説明するが、接続方法はこれに限られず、例えば、各装置は有線接続により通信する構成としてもよい。
【００１４】
図１は、本発明の一実施例に係るワイヤレスオーディオシステム１の概略構成図である。図示するように、本実施の形態にかかるワイヤレスオーディオシステム１は、ワイヤレスオーディオプレーヤ６−１〜６−３（以下、単にワイヤレスオーディオプレーヤ６とも呼ぶ）を備え、これらは、Ｗｉ−Ｆｉ（ワイファイ、Ｗｉｒｅｌｅｓｓ  Ｆｉｄｅｌｉｔｙ）ルータ等のアクセスポイント５及びＷＡＮ、ＬＡＮ等のネットワーク４を介して、メディアサーバ２に接続されている。なお、図１では、ワイヤレスオーディオシステム１が３台のワイヤレスオーディオプレーヤ６を備える場合を例示しているが、ワイヤレスオーディオシステム１は、ワイヤレスオーディオプレーヤ６を備えるものであればよい。
【００１５】
メディアサーバ２は、ワイヤレスオーディオシステム１に楽曲のオーディオデータを提供する。ここで、メディアサーバ２は、ＡＡＣ（Ａｄｖａｎｃｅｄ  Ａｕｄｉｏ  Ｃｏｄｉｎｇ）等の非可逆圧縮データ、ＣＤ−ＤＡ（Ｃｏｍｐａｃｔ  Ｄｉｓｃ  Ｄｉｇｉｔａｌ  Ａｕｄｉｏ）等の無圧縮データ等のいわゆるローレゾリューションオーディオデータに加えて、ローレゾリューションオーディオデータより高品質の（より大きな帯域を必要とする）、ＦＬＡＣ（Ｆｒｅｅ  Ｌｏｓｓｌｅｓｓ  Ａｕｄｉｏ  Ｃｏｄｅｃ）等の可逆圧縮データ、ＦＬＡＣ  Ｕｍｃｏｍｐｒｅｓｓｅｄ等の無圧縮データ等のハイレゾリューションオーディオデータを提供するものとする。
【００１６】
ワイヤレスオーディオシステム１は、複数のワイヤレスオーディオプレーヤ６−１〜６−３のいずれか一つがマスタとなり、残りがスレーブとなって同じ楽曲のオーディオデータを再生することもできる。また、ワイヤレスオーディオプレーヤ６−１〜６−３はそれぞれ独立して別のオーディオデータを再生することもできる。図１では、ワイヤレスオーディオプレーヤ６−１がマスタとなり、ワイヤレスオーディオプレーヤ６−２及び６−３がスレーブとなっている場合を例示している。
【００１７】
図１において、マスタとして動作しているワイヤレスオーディオプレーヤ６−１は、アクセスポイント５及びネットワーク４を介してメディアサーバ２から楽曲のオーディオデータをダウンロードする。そして、ダウンロードしたオーディオデータをスレーブとして動作するワイヤレスオーディオプレーヤ６−２及び６−３に無線送信すると共に、このオーディオデータを再生して出力する。一方、スレーブとして動作するワイヤレスオーディオプレーヤ６−２及び６−３は、マスタとして動作するワイヤレスオーディオプレーヤ６−１から無線送信されたオーディオデータを受信して、これを再生し出力する。
【００１８】
ここで、マスタとして動作するワイヤレスオーディオプレーヤ６−１は、メディアサーバ２からダウンロードしたオーディオデータを所定時間バッファリングしてから再生することにより、オーディオデータの再生開始タイミングを、スレーブとして動作するワイヤレスオーディオプレーヤ６−２及び６−３のオーディオデータの再生開始タイミングに合致させている。
【００１９】
図２は、ワイヤレスオーディオシステム１を構成するリモートコントローラ３の概略構成図である。図示するように、リモートコントローラ３は、汎用の携帯電話装置またはスマートフォンであって、表示部７、操作部８、記憶部９、制御部１０、ネットワークインターフェース部１１を備えている。
【００２０】
ネットワークインターフェース部１１は、Ｗｉ−Ｆｉ等の無線通信手段によってワイヤレスオーディオプレーヤ６等の他の装置と相互に情報通信を行う。
【００２１】
制御部１０は、表示部７、操作部８、記憶部９、ネットワークインターフェース部１１等のリモートコントローラ３の全体を制御する。
【００２２】
表示部７は、記憶部９に記憶されたアプリケーションソフトウェアが起動された場合、起動されたアプリケーションソフトウェアに応じた情報表示や各種選択キーの表示を行う。操作部８は、タッチパネルから成り、各種選択キーがタッチされると、当該選択キーが選択されたことを検知し、選択された前記選択キーに対応した指令信号をネットワークインターフェース部に出力する。なお、操作部８は、タッチパネルから成るものに限らない。例えば、操作部８は、押釦から成るものとし、前記選択キーに対応した押釦が押下されると、当該選択キーが選択されたことを検知し、選択された前記選択キーに対応した指令信号をネットワークインターフェース部に出力する構成としてもよい。記憶部９は、ネットワークインターフェース部１１による通信手段、図示しない信号入力部を介して入力したオーディオ信号やワイヤレスオーディオプレーヤ６の操作に関するアプリケーションソフトウェアを記憶する。
【００２３】
図３は、ワイヤレスオーディオシステム１を構成するワイヤレスオーディオプレーヤ６の概略構成図である。図示するように、ワイヤレスオーディオプレーヤ６は、マイク部１２、記憶部１３、オーディオ再生部１４、スピーカ部１５、制御部１６、ネットワークインターフェース部１７、電源部１８、バッテリ部１９を備えている。
【００２４】
制御部１６は、マイク部１２、記憶部１３、オーディオ再生部１４、スピーカ部１５、ネットワークインターフェース部１７等のワイヤレスオーディオプレーヤ６の全体を制御する。
【００２５】
ネットワークインターフェース部１７は、無線あるいは有線ＬＡＮ等の通信により、アクセスポイント５を介してネットワーク４に接続されたメディアサーバ２、リモートコントローラ３、及び他のワイヤレスオーディオプレーヤ６と通信するためのインターフェースである。ネットワークインターフェース部１７は、アクセスポイント５及びネットワーク４を介してメディアサーバ２から楽曲のオーディオデータをダウンロードする。
【００２６】
記憶部１３は、ネットワークインターフェース部１７が、アクセスポイント５及びネットワーク４を介してメディアサーバ２からダウンロードした楽曲のオーディオデータを記憶する。制御部１６は、記憶部１３に記憶されたオーディオデータをスレーブとして動作するワイヤレスオーディオプレーヤ６−２〜６−４に無線送信すると共に、このオーディオデータをオーディオ再生部１４に出力するように制御する。
【００２７】
オーディオ再生部１４は、記憶部１３から入力を受けたオーディオデータをデコードして再生し、再生された音声信号をスピーカ部１５に出力する。
【００２８】
スピーカ部１５は、振動板、コイル及び磁石から成り、オーディオ再生部１４から出力された音声信号の入力を受け、オーディオ再生部１４から入力を受けた音声信号を磁石付近に設置されたコイルに流すことで、コイル及びコイルに接続された振動板が振動してワイヤレスオーディオプレーヤ６の外部へ放音する。
【００２９】
マイク部１２は、振動板、コイル及び磁石から成り、発生した音波によって、振動板及び振動板に接続されたコイルが振動し、当該コイルと当該コイル付近に設置された磁石との間で電磁誘導が起こってコイルに電気信号である音声信号を発生する集音部であり、ワイヤレスオーディオプレーヤ６の周囲に発生した音波を集音する。家屋内でワイヤレスオーディオプレーヤ６を設置する位置によって、ワイヤレスオーディオプレーヤ６の周囲の環境音は変化する。例えば、台所に設置した場合には周囲に換気扇が生ずる音が発生している場合があり、一方で寝室に設置した場合には何ら騒音が発生していない場合が考えられる。このように、家屋でワイヤレスオーディオプレーヤ６を設置する位置によって、ワイヤレスオーディオプレーヤ６の周囲の環境音は変化するため、ワイヤレスオーディオプレーヤ６から音楽を聴取する者が適正な音量又は音質で聴取するためには、ワイヤレスオーディオプレーヤ６の設置位置に応じて、ワイヤレスオーディオプレーヤ６が出力するオーディオ信号を適切な音響特性に調整する必要が生じる。このため、制御部１６は、前記マイク部１２が集音した環境音の音波に基づいて、図示しないワイヤレスオーディオプレーヤ６の増幅部が増幅する音声信号の音量又は音質を設定し、出力するオーディオ信号を自動的に良好な音響特性に調整するよう制御する。このように出力するオーディオ信号を自動的に良好な音響特性に調整する方法については、特開２０１６−１５７１１号公報に開示されている方法を用いることによって実施可能となる。
【００３０】
電源部１８は、電源ケーブルを介して、ＡＣ電源２０からワイヤレスオーディオプレーヤ６の動作に必要となる電源の供給を受ける。
【００３１】
バッテリ部１９は、ＡＣ電源２０から電源部１８への電源供給がない場合に、ワイヤレスオーディオプレーヤ６の動作に必要となる電源を電源部１８へ供給する。
【００３２】
次に、図１に示すリモートコントローラ３とワイヤレスオーディオプレーヤ６が無線通信手段によって接続されている状態において、リモートコントローラ３によってワイヤレスオーディオプレーヤ６の動作を制御する場合の構成について説明する。
【００３３】
先ず、リモートコントローラ３の記憶部９にワイヤレスオーディオプレーヤ６の操作に関するアプリケーションソフトウェアを予め記録した状態で、当該アプリケーションソフトウェアを起動する。リモートコントローラ３の制御部１０は、当該アプリケーションソフトウェアが起動することにより、リモートコントローラ３の表示部７がワイヤレスオーディオプレーヤ６の操作に関する操作キーを表示するように表示部７を制御すると共に、操作部８によるワイヤレスオーディオプレーヤ６の操作に関する指令を受け付けるように操作部８を制御する。制御部１０は、操作部８を操作することによりオーディオ信号の曲の選択、再生開始、再生停止、オーディオ信号の音量及び音質の変更等の各種指令信号をネットワークインターフェース部１１に出力し、ネットワークインターフェース部１１が入力した当該各種指令信号をワイヤレスオーディオプレーヤ６のネットワークインターフェース部１７に送信する。ワイヤレスオーディオプレーヤ６のネットワークインターフェース部１７が、当該指令信号を受信すると、ワイヤレスオーディオプレーヤ６の制御部１６は、当該指令信号に応じて、指令信号の曲の選択、再生開始及び再生停止を行うようにオーディオ再生部１４を制御し、また、スピーカ部１５に出力するオーディオ信号の増幅値及び音質を調整するようオーディオ再生部１４を制御する。
【００３４】
以上のように本実施例のワイヤレスオーディオシステム１は、リモートコントローラ３を操作することによって、ワイヤレスオーディオプレーヤ６から出力するオーディオ信号の曲の選択、再生開始、再生停止、音量及び音質の調整を遠隔操作することができる。
【００３５】
次に、本実施例のワイヤレスオーディオシステム１の防犯機能動作について説明する。
【００３６】
図４は、本実施例に係るワイヤレスオーディオシステム１の防犯機能の動作フローに関する図である。本実施例においては、アクセスポイント５とワイヤレスオーディオプレーヤ６がＷｉ−Ｆｉ通信で接続されているものとする。また、本実施例においては、電源部１８がＡＣ電源２０と接続されているものとする。
【００３７】
先ず、ワイヤレスオーディオシステム１のユーザーが、在宅時又は外出時に携行するスマートフォン等のリモートコントローラ３に予め備えられたワイヤレスオーディオプレーヤ６の操作に関するアプリケーションソフトウェアを起動する。リモートコントローラ３の表示部７は、ワイヤレスオーディオプレーヤ６の操作に関するアプリケーションソフトウェアが起動されると、ワイヤレスオーディオプレーヤ６の防犯機能を設定するための操作キーを表示する。ユーザーが、表示部７に表示された防犯機能を有効化する操作キーを操作することで、ワイヤレスオーディオプレーヤ６は、防犯機能の作動を開始する（ステップＳ１）。
【００３８】
なお、ワイヤレスオーディオプレーヤ６の防犯機能については、ユーザーによって、リモートコントローラ３上で防犯機能を有効化したのち、ワイヤレスオーディオシステム１の防犯機能が作動開始するまでの時間を、任意に設定することができるようにしてもよい。このことにより、リモートコントローラ３上で防犯機能を有効化したのち、ワイヤレスオーディオシステム１の防犯機能が作動開始するまでに、一定の時間を空けることで、ユーザーが家屋の中から玄関を通じて屋外へ出るまでの間に、ユーザー自身が発した音が誤って空き巣の侵入により発生した異音であるとして検知され、防犯機能が作動してしまうことを防止できる。
【００３９】
次に、ワイヤレスオーディオプレーヤ６は、Ｗｉ−Ｆｉ通信が遮断されたか否かを検出する（ステップＳ２）。ここで、Ｗｉ−Ｆｉ通信が遮断された場合には、ワイヤレスオーディオプレーヤ６は、記憶部１３に記憶された警告音データをオーディオ再生部１４によって再生し、ワイヤレスオーディオプレーヤ６のスピーカ部１５から警告音を発生する。このことにより、もしユーザーが外出した後に、例えば、家屋へ侵入した空き巣がワイヤレスオーディオプレーヤ６による防犯機能に気づいてしまい、Ｗｉ−Ｆｉルータ等のアクセスポイント５に接続されていた図示しない電源ケーブルを切断し、それまでコンセントからＷｉ−Ｆｉルータ等のアクセスポイント５に対して供給されていた電源の供給が止まり、Ｗｉ−Ｆｉ通信が使用できなくなったような場合、当該警告音がワイヤレスオーディオプレーヤ６のスピーカ部１５から発生されることによって、空き巣を威嚇して退散させ、被害を未然に防ぐことができる。また、ワイヤレスオーディオプレーヤ６は、Ｗｉ−Ｆｉ通信が遮断された場合、制御部１６によって、アクセスポイント５及びネットワーク４を介して、外出中のユーザーが携行するスマートフォン上に備えられたアプリケーションソフトウェア等のリモートコントローラ３に対して、空き巣の侵入により発生した異音が検知された旨の通知を送信するよう制御する。このことにより、ユーザーは、リモートコントローラ３上で受信した通知を見て、空き巣の侵入を知り、帰宅する又は警備会社へ連絡する等の対応を行うことが可能となる。
【００４０】
一方、ステップＳ２において、防犯機能が動作開始したのち、Ｗｉ−Ｆｉ通信が遮断されていない場合、次に、ワイヤレスオーディオプレーヤ６は、ＡＣ電源２０から電源部１８への電源供給が遮断されたか否かを検出する（ステップＳ３）。ここで、ＡＣ電源２０から電源部１８への電源供給が遮断された場合には、ワイヤレスオーディオプレーヤ６は、記憶部１３に記憶された警告音データをオーディオ再生部１４によって再生し、ワイヤレスオーディオプレーヤ６のスピーカ部１５から警告音を発生する。このことにより、もしユーザーが外出した後に、例えば、家屋へ侵入した空き巣がワイヤレスオーディオプレーヤ６による防犯機能に気づいてしまい、ＡＣ電源２０から電源部１８への電源供給を遮断したような場合、当該警告音がワイヤレスオーディオプレーヤ６のスピーカ部１５から発生されることによって、空き巣を威嚇して退散させ、被害を未然に防ぐことができる。また、ワイヤレスオーディオプレーヤ６は、ＡＣ電源２０から電源部１８への電源供給が遮断された場合、制御部１６によって、アクセスポイント５及びネットワーク４を介して、外出中のユーザーが携行するスマートフォン上に備えられたアプリケーションソフトウェア等のリモートコントローラ３に対して、ＡＣ電源２０から電源部１８への電源供給が遮断された旨の通知を送信するよう制御する。このことにより、ユーザーは、リモートコントローラ３上で受信した通知を見て、帰宅する又は警備会社へ連絡する等の対応を行うことが可能となる。
【００４１】
一方、ステップＳ３において、ＡＣ電源２０から電源部１８への電源供給が遮断されていない場合、次に、ワイヤレスオーディオプレーヤ６は、備えられたマイク部１２によって、家屋内に何らかの音が発生したか否かの検知を行う（ステップＳ４）。
【００４２】
ステップＳ４において、マイク部１２が家屋内に何らかの音が発生したことを検知した場合、制御部１６は、検知した音が予め記憶部１３に記憶された音であるか否かを判断する（ステップＳ５）。
本実施例においては、予め記憶部１３に家屋内で飼っているペットの鳴き声や、またインターホンの音等を正常時に発生する音として記憶しておくことができ、これら予め記憶部１３に記憶された正常音については、防犯機能が有効となっている場合にマイク部１２が検知したとしても、空き巣の侵入により発生した異音ではないと判断するように設定をすることができる。
【００４３】
当該判断については、具体的には、前記ステップＳ４においてマイク部１２が家屋内に発生した音を検知した場合に、マイク部１２が検知した音が予め記憶部１３に記憶された正常音と一致するか否かの照合を制御部１６が行うものとする。このように予め正常音を記憶しておき、検知した音が異音であるか否かを判断する方法については、例えば、特開２００４−３５９１６１号公報に開示されている方法を用いることで実施可能となる。
【００４４】
ステップＳ５において、検知された音が予め記憶部１３に記憶された音と一致した場合には、検知された音は空き巣の侵入により発生した異音ではないと判断し、ステップＳ２に戻る。
【００４５】
ステップＳ５において、検知された音が予め記憶部１３に登録した正常音と一致しない場合には、検知された音が空き巣の侵入により発生した異音であると判断し、ワイヤレスオーディオプレーヤ６は、記憶部１３に記憶された警告音データをオーディオ再生部１４によって再生し、ワイヤレスオーディオプレーヤ６のスピーカ部１５から警告音を発生すると共に、制御部１６によって、アクセスポイント５及びネットワーク４を介して、外出中のユーザーが携行するスマートフォン上に備えられたアプリケーションソフトウェア等のリモートコントローラ３に対して、空き巣の侵入により発生した異音が検知された旨の通知を送信するよう制御する。
【００４６】
このように、本実施例のワイヤレスオーディオプレーヤ６は、記憶部１３に予め警告音データが記憶され、検知された音が空き巣の侵入により発生した異音であると判断された場合には、オーディオ再生部１４が当該警告音データを再生した上で、警告音がスピーカ部１５から発音される。これにより空き巣を威嚇して退散させ、空き巣による被害を未然に防ぐことができる。
【００４７】
また、このように、本実施例のワイヤレスオーディオプレーヤ６は、検知された音が空き巣の侵入により発生した異音であると判断された場合には、制御部１６は、アクセスポイント５及びネットワーク４を介して、外出中のユーザーが携行するスマートフォン上に備えられたアプリケーションソフトウェア等のリモートコントローラ３に対して、空き巣の侵入により発生した異音が検知された旨の通知を送信する。このことにより、ユーザーは、リモートコントローラ３上で受信した通知を見て、空き巣の侵入を知り、帰宅する又は警備会社へ連絡する等の対応を行うことが可能となる。
【００４８】
また、本実施例のワイヤレスオーディオプレーヤ６は、図３に示すとおり、電源部１８を備え、電源部１８への電源供給が無い状態になった場合には、記憶部１３に予め記憶された警告音データをオーディオ再生部１４が再生した上で、警告音がスピーカ部１５から発音されると共に、制御部１６は、アクセスポイント５及びネットワーク４を介して、外出中のユーザーが携行するスマートフォン上に備えられたアプリケーションソフトウェア等のリモートコントローラ３に対して、電源部１８へのＡＣ電源２０からの電源供給が無くなった旨の通知を送信する。
これにより例えば、家屋へ侵入した空き巣が、ワイヤレスオーディオプレーヤ６の電源部１８とＡＣ電源２０を接続する電源ケーブルを切断し、電源部１８へのＡＣ電源２０からの電源供給を止め、防犯機能が作動しない状態にした上で窃盗を試みるような場合でも、当該切断により電源供給が止まった際にスピーカ部１５から警告音が発生されるため、その時点で空き巣を威嚇することができ、窃盗へ着手する前に空き巣を退散させることが可能となる。また、電源部１８へのＡＣ電源２０からの電源供給が無い状態になった場合には、リモートコントローラ３に対して電源部１８へのＡＣ電源２０からの電源供給が無くなった旨の通知がされるため、ユーザーはリモートコントローラ３上で受信した当該通知を見て、帰宅する又は警備会社へ連絡する等の対応を行うことが可能となる。
【００４９】
さらに、本実施例のワイヤレスオーディオプレーヤ６は、図３に示すように、バッテリ部１９が備わっており、電源部１８へのＡＣ電源２０からの電源供給が遮断された場合、電源部１８へバッテリ部１９から電源が供給されるため、マイク部１２はステップＳ４の検知作業を継続して行い、また、制御部１６はステップＳ５の判断作業を継続して行うことができ、制御部１６は、記憶部１３に予め記憶された警告音データをオーディオ再生部１４が再生した上で、警告音がスピーカ部１５から発音されると共に、アクセスポイント５及びネットワーク４を介して、外出中のユーザーが携行するスマートフォン上に備えられたアプリケーションソフトウェア等のリモートコントローラ３に対して、電源部１８へのＡＣ電源２０からの電源供給が無くなった旨の通知を送信するよう制御することができる。これにより例えば、家屋へ侵入した空き巣が、ワイヤレスオーディオプレーヤ６の電源部１８とＡＣ電源２０を接続する電源ケーブルを切断し、電源部１８へのＡＣ電源２０からの電源供給を止め、防犯機能が作動しない状態にした上で窃盗を試みるような場合でも、当該切断により電源供給が止まった際にスピーカ部１５から警告音が発生されるため、その時点で空き巣を威嚇することができ、窃盗へ着手する前に空き巣を退散させることが可能となり、また、リモートコントローラ３に対して電源部１８へのＡＣ電源２０からの電源供給が無くなった旨の通知がされるため、ユーザーはリモートコントローラ３上で受信した当該通知を見て、帰宅する又は警備会社へ連絡する等の対応を行うことが可能となる。
【００５０】
次に、本実施例のワイヤレスオーディオシステム１における防犯機能の設定方法の一例について説明する。
【００５１】
図５は、リモートコントローラ３上の防犯機能設定画面に関する図である。
【００５２】
図５に示すように、表示部７には７０１〜７０４の操作キーが表示される。先ず、ユーザーは、リモートコントローラ３の記憶部９に予め記憶されたワイヤレスオーディオプレーヤ６の操作に関するアプリケーションソフトウェアを起動する。ワイヤレスオーディオプレーヤ６の操作に関するアプリケーションソフトウェアが起動されると、リモートコントローラ３の表示部７にワイヤレスオーディオプレーヤ６の防犯機能を設定するための操作キーが表示される。操作キーは、図５に示すように、防犯機能の有効化（Ｏｎ）及び無効化（ＯＦＦ）についての設定を行うための操作キー７０１、検知された音が空き巣の侵入により発生した異音であると判断された場合にワイヤレスオーディオプレーヤ６から警報音を鳴らすか否かについての設定を行うための操作キー７０２、リモートコントローラ３上に異音検知情報を送信するか否かについての設定を行うための操作キー７０３、及び当該送信時にＷｉ−Ｆｉ通信が使用できない場合には後述するような携帯電話用電波通信を使用して送信を行うか否か、についての設定を行うための操作キー７０４である。ユーザーは、これらの操作キーを操作することで、ワイヤレスオーディオプレーヤ６の防犯機能の設定を行うことができる。
【００５３】
以上のように、本実施例のワイヤレスオーディオシステム１は、ユーザーが防犯機能の設定の有効化を行うことで、留守中の家屋内で何らかの音が発生していないか否かについての検知が開始され、何らかの音の発生を検知した場合で検知された音が空き巣の侵入により発生した異音であると判断されたときには、ワイヤレスオーディオプレーヤ６が警告音を発生して空き巣を威嚇して退散させると共に、ユーザーが携行するリモートコントローラ３に異音検知情報を送信することで、ユーザーは帰宅する又は警備会社へ連絡をするといった対応を行うことができるようになるため、ユーザーは特別な防犯用装置の設置工事や購入を行う必要なく、ホームセキュリティシステムを構築することができる。
【００５４】
以上、本発明の実施の形態について説明した。
【００５５】
なお、本発明は上記の実施の形態に限定されるものではなく、その要旨の範囲内で数々の変形が可能である。
【００５６】
上記実施例では、図３に示すとおり、ワイヤレスオーディオプレーヤ６は、ＡＣ電源２０から電源の供給を受ける電源部１８とバッテリ部１９を備える構成としたが、さらに、電源部１８内に予め予備バッテリを備える構成としてもよい。これにより、電源部１８へのＡＣ電源２０からの電源供給が無くなった上で、バッテリ部１９が空き巣によって取り外された場合でも、電源部１８が予め備える予備バッテリが電源となり、スピーカ部１５から警告音を発生して空き巣を威嚇して退散させ、また、バッテリ部１９が取り外された旨をリモートコントローラ３へ通知することで、ユーザーが帰宅する又は警備会社へ連絡する等の対応を取ることが可能となるため、より安定したホームセキュリティシステムを提供することができる。
【００５７】
また、上記実施例では、図３に示すとおり、ワイヤレスオーディオプレーヤ６は、マイク部１２、記憶部１３、オーディオ再生部１４、スピーカ部１５、制御部１６、ネットワークインターフェース部１７、電源部１８、バッテリ部１９の全てを一つの装置内に備える形態としたが、これに限らない。例えば、ワイヤレスオーディオプレーヤ６がワイヤレスアンプ装置とワイヤレススピーカ装置から構成されるものとし、ワイヤレスアンプ装置が、マイク部１２、制御部１６、ネットワークインターフェース部１７、電源部１８、バッテリ部１９を備え、ワイヤレススピーカ装置が記憶部１３、オーディオ再生部１４、スピーカ部１５、制御部１６、ネットワークインターフェース部１７、電源部１８、バッテリ部１９を備えるものとし、ワイヤレスアンプ装置のマイク部１２が家屋内に発生した音の検知を行い、ワイヤレスアンプの制御部１６は、マイク部１２が検知した音が空き巣の侵入により発生した異音であるか否かの判定を行った上で、空き巣の侵入により発生した異音であると判定された場合にはネットワークインターフェース部１７を介してワイヤレススピーカ装置に対して異音検知情報を送信し、ワイヤレススピーカ装置のネットワークインターフェース部１７がワイヤレスアンプ装置が送信した異音検知情報を受信し、ワイヤレススピーカ装置のオーディオ再生部１４が、記憶部１３に予め記憶された警告音データを再生した上で、スピーカ部１５がワイヤレススピーカの外部へ警告音を放音するように制御する構成でもよい。
【００５８】
なお、上記実施例では、図３に示すスピーカ部１５が、異音判定に使用するための登録音は、空き巣の侵入により発生した異音であると判断すべきでない正常音を予め記憶部１３に登録しておくこととしたが、これに限られない。例えば、ユーザーが任意に、所定の音量以上の音を空き巣の侵入により発生する異音と判断するように設定しておき、検知された音が所定の音量以上の音であると判定した場合にはスピーカ部１５から警告音を発生し、また、リモートコントローラ３へ異音検知情報を通知するものとし、一方で、検知された異音が所定の音量に満たないと判定した場合には、何ら防犯対応を行わないとする形態でもよい。
【００５９】
また、上記実施例では、図４に示すとおり、異音検知情報をリモートコントローラ３へ送信する構成としたが、これに限らない。例えば、ワイヤレスオーディオプレーヤ６が異音を検知したという事実情報をリモートコントローラ３へ送信するのではなく、ワイヤレスオーディオプレーヤ６のマイク部１２が検知した音そのものを記憶部１３に所定の時間録音し、当該録音された音をそのままリモートコントローラ３へ送信する構成としてもよい。これにより、外出中のユーザーは、例えば、検知された音が記憶部１３への予めの記憶を忘れていた正常音、例えば電話のベルの音や、家屋の周囲で行われている工事の騒音であることを知ることも可能となるため、ホームセキュリティシステムの正確性をより高めることが可能となる。
【００６０】
また、上記実施例では、図３に示すとおり、マイク部１２が家屋内に何らかの音を検知した場合に、リモートコントローラ３に対して異音検知情報が通知される際にはＷｉ−Ｆｉ通信を使用することとしたが、これに限らない。例えば、ワイヤレスオーディオプレーヤ６にＳＩＭ（Ｓｕｂｓｃｒｉｂｅｒ  Ｉｄｅｎｔｉｔｙ  Ｍｏｄｕｌｅ）機能を備えた上で、携帯電話用電波を使用して当該通知を携帯電話から成るリモートコントローラ３へ行う形態であってもよいし、さらには、ワイヤレスオーディオプレーヤ６にＳＩＭ機能を搭載した上で、通常時にはＷｉ−Ｆｉ通信を使用し、Ｗｉ−Ｆｉ通信が遮断された場合に携帯電話用電波通信を使用するように切り替える形態としてもよい。これにより、通常時はより通信速度の速いＷｉ−Ｆｉ通信を使用しながら、何らかの通信障害によってＷｉ−Ｆｉ通信が使用できなくなったような場合でも、携帯電話用電波通信を使用して、外出中のユーザーが携行するスマートフォン上のリモートコントローラ３に異音検知情報を送信できるため、ホームセキュリティシステムとしての安定性をより高めることが可能となる。
【００６１】
また、上記実施例では、図５に示すとおり、防犯機能の設定については、ユーザーはリモートコントローラ３上から行うこととしたが、これに限られない。例えば、ワイヤレスオーディオプレーヤ６に備え付けられたボタンを押下することにより防犯機能の設定を開始する形態としてもよい。また、例えば、ワイヤレスオーディオプレーヤ６に音声認識機能を備えるものとし、ユーザーがワイヤレスオーディオプレーヤ６のマイク部１２に対して、予め記憶部１３に記憶された所定の音声指令を発することにより、制御部１６が防犯対応の設定を行うように制御する構成でもよい。これにより、ユーザーは在宅時で手元にリモートコントローラ３を保持していない場合でも、口頭で音声指令を発することで防犯対応の設定を行うことができるため、セキュリティシステムの設定に際しての利便性がより向上する。
【００６２】
また、上記実施例では、ワイヤレスオーディオプレーヤ６はマイク部１２を備え、マイク部１２が家屋内に発生する音を検知する構成としたが、これに限らない。例えば、ワイヤレスオーディオプレーヤ６がマイク部１２を備えずに、代わりにスピーカ部１５が家屋内の音を検知する機能を担う構成としてもよい。すなわちスピーカは、固定された磁石付近に設置されたコイルに電気信号である音声信号を流すことで、コイル及びコイルに接続された振動板が振動して音が発せられるものであり、一方でマイクは、振動板の付近で発生した音によって、振動板及び振動板に接続されたコイルが振動し、当該コイルと固定された磁石との間で電磁誘導が起こってコイルに電気信号である音声信号が発生するものであって、このようにスピーカ及びマイクは共に振動板、コイル、磁石から成るものである。このことを利用して、家屋内に音が発生した場合に、スピーカ部１５が備える図示しない振動板及び振動板に接続されたコイルが振動し、当該コイルと固定された磁石との間で電磁誘導が起こってコイルに電気信号である音声信号が発生し、当該音声信号を読み取ることで家屋内に発生した音の検知を行う構成としてもよい。これによって、ワイヤレスオーディオプレーヤ６にマイク部１２を備える必要が無くなるため、より安価にワイヤレスオーディオプレーヤ６を製造することが可能となる。
【産業上の利用可能性】
【００６３】
本発明は、オーディオプレーヤを備えたオーディオシステムに有用に用いることができる。
【符号の説明】
【００６４】
１  ワイヤレスオーディオシステム、２  メディアサーバ、３  リモートコントローラ、４  ネットワーク、５  アクセスポイント、６  ワイヤレスオーディオプレーヤ、７  表示部、７０１  防犯機能の設定キー、７０２  警報音発生の設定キー、７０３  リモートコントローラへの異音検知情報通知の設定キー、７０４  異音検知情報通知時の携帯電話用電波通信使用の設定キー、８  操作部、９  記憶部、１０  制御部、１１  ネットワークインターフェース部、１２  マイク部、１３  記憶部、１４  オーディオ再生部、１５  スピーカ部、１６  制御部、１７  ネットワークインターフェース部、１８  電源部、１９  バッテリ部、２０  ＡＣ電源
【図１】
2018120319.tif 000003
【図２】
2018120319.tif 000004
【図３】
2018120319.tif 000005
【図４】
2018120319.tif 000006
【図５】
2018120319.tif 000007